(57)【特許請求の範囲】
【請求項１】
非サービング基地局（28N）との信号のやりとりのための、サービング基地局（28S）における方法であって、
前記サービング基地局（28S）は、無線端末（30）のアクティブセット内のサービングセル（34S）を制御し、
前記非サービング基地局（28N）は、前記無線端末（30）の前記アクティブセット内の１個以上の非サービングセル（34N）を制御し、
前記無線端末（30）は、少なくとも２個のキャリアのセットでのマルチキャリア上りリンク送信用に設定されており、
前記方法は、
前記サービング基地局（28S）が、前記少なくとも２個のキャリアのセットに含まれるアクティブ・キャリアのサブセットを示す情報を含む信号を、前記非サービング基地局（28N）に送信するステップ
を含むことを特徴とする方法。
【請求項２】
前記サービング基地局（28S）と前記非サービング基地局（28N）との間のインタフェース上で、前記非サービング基地局（28N）に対して前記信号を直接送信するステップをさらに含むことを特徴とする請求項１に記載の方法。
【請求項３】
前記サービング基地局（28S）と、前記非サービング基地局（28N）に対して前記情報を転送する無線ネットワーク制御装置ノード（26）との間のインタフェース上で、前記信号を送信するステップをさらに含むことを特徴とする請求項１に記載の方法。
【請求項４】
前記少なくとも２個のキャリアのセットに含まれる少なくとも１個のキャリアをアクティブ化又は非アクティブ化することを前記サービング基地局（28S）が決定した後に、前記信号を送信するステップをさらに含むことを特徴とする請求項１乃至３の何れか１項に記載の方法。
【請求項５】
無線端末（30）のアクティブセット内の１個以上の非サービングセル（34N）を制御する非サービング基地局（28N）における方法であって、
前記無線端末（30）は、少なくとも２個のキャリアのセットでのマルチキャリア上りリンク送信用に設定されており、
前記方法は、
前記非サービング基地局（28N）が、前記少なくとも２個のキャリアのセットに含まれるアクティブ・キャリアのサブセットを示す情報を含み、かつ、前記無線端末（30）の前記アクティブセット内のサービングセル（34S）を制御するサービング基地局（28S）から送信された信号を受信するステップ
を含むことを特徴とする方法。
【請求項６】
前記信号は、前記非サービング基地局（28N）と、前記無線端末（30）の前記アクティブセット内のサービングセル（34S）を制御するサービング基地局（28S）との間のインタフェース上で受信されることを特徴とする請求項５に記載の方法。
【請求項７】
前記信号は、前記非サービング基地局（28N）と無線ネットワーク制御装置ノード（26）との間のインタフェース上で受信されることを特徴とする請求項５に記載の方法。
【請求項８】
前記受信された情報に従って、前記無線端末（30）からの上りリンク送信のモニタリングを適応させるステップをさらに含むことを特徴とする請求項５乃至７の何れか１項に記載の方法。
【請求項９】
前記信号は、前記少なくとも２個のキャリアのセットに含まれる少なくとも１つのキャリアをアクティブ化又は非アクティブ化することを前記サービング基地局（28S）が決定した後に、前記サービング基地局（28S）から送信されることを特徴とする請求項５乃至８の何れか１項に記載の方法。
【請求項１０】
無線端末（30）のアクティブセット内のサービングセル（34S）を制御する、無線アクセスネットワーク（20）の基地局（28S）であって、
前記無線端末（30）は、少なくとも２個のキャリアのセットでのマルチキャリア上りリンク送信用に設定されており、
前記基地局（28S）は、
前記少なくとも２個のキャリアのセットに含まれるアクティブ・キャリアのサブセットを示す情報を含む信号を、前記無線端末（30）の前記アクティブセット内の１個以上の非サービングセル（34N）を制御する非サービング基地局（28N）に対して送信する信号送信手段（50）
を備えることを特徴とする基地局。
【請求項１１】
前記信号は、前記基地局（28S）と、前記非サービング基地局（28N）に前記情報を転送する無線ネットワーク制御装置ノード（26）との間のインタフェース上で送信されることを特徴とする請求項１０に記載の基地局。
【請求項１２】
前記信号は、前記少なくとも２個のキャリアのセットに含まれる少なくとも１つのキャリアをアクティブ化又は非アクティブ化することを前記基地局（28S）が決定した後に、送信されることを特徴とする請求項１０又は１１に記載の基地局。
【請求項１３】
無線端末（30）のアクティブセット内の１個以上の非サービングセル（34N）を制御する、無線アクセスネットワーク（20）の基地局（28N）であって、
前記無線端末（30）は、少なくとも２個のキャリアのセットでのマルチキャリア上りリンク送信用に設定されており、
前記基地局（28N）は、
前記少なくとも２個のキャリアのセットに含まれるアクティブ・キャリアのサブセットを示す情報を含み、かつ、前記無線端末（30）の前記アクティブセット内のサービングセル（34S）を制御するサービング基地局（28S）から送信された信号を受信する信号操作手段（106）と、
前記情報に従って、前記無線端末（30）からの上りリンク送信のモニタリングを適応させるキャリアモニタリング手段（110）と
を備えることを特徴とする基地局。
【請求項１４】
前記信号は、前記基地局（28N）と無線ネットワーク制御装置ノード（26）との間のインタフェース上で受信されることを特徴とする請求項１３に記載の基地局。
【請求項１５】
前記信号は、前記少なくとも２個のキャリアのセットに含まれる少なくとも１つのキャリアをアクティブ化又は非アクティブ化することを前記サービング基地局（28S）が決定した後に、前記サービング基地局（28S）から送信されることを特徴とする請求項１３又は１４に記載の基地局。
【発明の詳細な説明】
【技術分野】
【０００１】
本発明は、通信に関するものであり、具体的にはマルチキャリア上りリンク送信に関するものである。
【背景技術】
【０００２】
典型的なセルラ無線システムでは、（無線局及びユーザ装置ユニット（ＵＥ）の少なくとも何れかとしても知られている）無線端末は、無線アクセスネットワーク（ＲＡＮ）を介して１個以上のコアネットワークと通信する。無線アクセスネットワーク（ＲＡＮ）は、各セルエリアが、いくつかのネットワークでは「ノードＢ」とも称されている無線基地局（ＲＢＳ）等の基地局によってサービングされる、複数のセルエリアに分割された地理的エリアをカバーする。セルは、無線カバレッジが基地局サイトにおける無線基地局装置によって提供される地理的エリアである。各セルは、当該セル内でブロードキャストされる、ローカル無線エリア内の識別子によって識別される。基地局は、無線周波数で動作するエアインタフェースを介して、当該基地局の範囲内のユーザ装置ユニット（ＵＥ）と通信する。
【０００３】
無線アクセスネットワークのいつくかのバージョンでは、複数の基地局が、通常、無線ネットワーク制御装置（ＲＮＣ）に（例えば、地上の通信線又はマイクロ波によって）接続されている。無線ネットワーク制御装置は、当該無線ネットワーク制御装置に接続された複数の基地局の様々な動作を、管理及び調整する。無線ネットワーク制御装置は、通常、１個以上のコアネットワークに接続されている。
【０００４】
ユニバーサルモバイル通信システム（ＵＭＴＳ）は、グローバル・システム・フォー・モバイル・コミュニケーションズ（ＧＳＭ）からの進化形である、第３世代移動通信システムであり、広帯域符号分割多元接続（ＷＣＤＭＡ）アクセス技術に基づいて、向上した移動通信サービスを提供することを意図されている。ＵＴＲＡＮは、実質的には、ユーザ装置ユニット（ＵＥ）用の広帯域符号分割多元接続を使用した無線アクセスネットワークである。
【０００５】
第３世代パートナシップ・プロジェクト（３ＧＰＰ）として知られているフォーラムでは、通信事業者が、特に第３世代ネットワーク及びＵＴＲＡＮに関する標準規格について提案及び賛同しており、高度化されたデータレート及び無線容量について調査している。第３世代パートナシップ・プロジェクト（３ＧＰＰ）は、ＵＴＲＡＮ及びＧＳＭベースの無線アクセスネットワーク技術をさらに進化させることに取り組んでいる。当該フォーラムの作業の１つの成果は、高速パケットアクセス（ＨＳＰＡ：High Speed Packet Access）である。
【０００６】
高速パケットアクセス（ＨＳＰＡ）ネットワークでは、無線端末はサービングセルに接続される。サービングセルは、無線端末に対するデータスケジューリングを担っている。代替的にはユーザ装置ユニット（ＵＥ）とも称される無線端末は、１個以上の非サービングセルにも接続されうる。無線端末が接続されるサービングセル及び任意の非サービングセルは、当該無線端末用のアクティブセットをまとめて形成する。
【０００７】
ＨＳＰＡネットワークにおいて、サービングセルは、本明細書ではサービング・ノードＢとも称される基地局（ノードＢ）によって制御される。同様に、アクティブセットに含まれる非サービングセルを制御する他のノードＢは、非サービング・ノードＢとも称されうる。サービング・ノードＢのように、非サービング・ノードＢは無線端末（ＵＥ）から上りリンク送信を受信でき、このようにできるという事実は、いわゆるソフトハンドオーバ・ゲインをもたらす。非サービング・ノードＢは、さらに、非サービング・ノードＢによって制御されるセルに対する、無線端末（ＵＥ）からのセル間干渉があまりに大きくなることを防ぐために、送信電力制御（ＴＰＣ）コマンドと相対グラント（ＲＧ）とを介して、無線端末（ＵＥ）からの送信を抑えることも可能である。
【０００８】
下りリンク用の高速下りリンクパケットアクセス（ＨＳＤＰＡ）は、３ＧＰＰ ＷＣＤＭＡ仕様リリース５において導入された。マルチキャリア高速下りリンクパケットアクセス（ＭＣ−ＨＳＤＰＡ）は、無線端末（ＵＥ）に対して、２個以上の下りリンクキャリアを介した、高速下りリンクパケットアクセス（ＨＳＤＰＡ）の同時送信を含む。
【０００９】
高速下りリンクパケットアクセス（ＨＳＤＰＡ）に続いて、３ＧＰＰ ＷＣＤＭＡ仕様リリース６において、上りリンクに拡張個別チャネル（Ｅ−ＤＣＨ：enhanced dedicated channel）を用いる高速上りリンクパケットアクセス（ＨＳＵＰＡ）が導入された。ＨＳＵＰＡは、上りリンク拡張個別チャネル（Ｅ−ＤＣＨ）を使用し、ＨＳＤＰＡによって用いられているものと同様のリンクアダプテーション方式を、Ｅ−ＤＣＨで用いる。スケジューリング・モード（sckeduled mode）において、ＨＳＵＰＡは、要求グラント手順（request-grant procedure）で動作するだけでなく、（ＨＳＤＰＡと同様の）パケット・スケジューラを使用する。要求グラント手順に従って、無線端末はデータの送信許可を個別に要求する。このような要求に応じて、ノードＢのスケジューラは、多くの無線端末に、いつ、どのように、送信を許可するのかを決定する。送信要求には、無線端末に関するデータ（例えば、送信バッファ及びキューの状態、並びに無線端末が利用可能な電力マージン）が含まれる。スケジューリング・モードの送信に加えて、ＨＳＵＰＡでは、標準規格によって、非スケジューリング（non-scheduled）と表される、ＵＥからの自己開始（self-initiated）送信モードも許容されている。
【００１０】
レイヤ１において、ＨＳＵＰＡは、新たな物理チャネル、Ｅ−ＡＧＣＨ（絶対グラント・チャネル）、Ｅ−ＲＧＣＨ（相対グラント・チャネル）、Ｆ−ＤＰＣＨ（フラクショナルＤＰＣＨ、Fractional-DPCH）、Ｅ−ＨＩＣＨ（Ｅ−ＤＣＨハイブリッドＡＲＱ指示チャネル、E-DCH Hybrid ARQ Indicator Channel）、Ｅ−ＤＰＣＣＨ（Ｅ−ＤＣＨ個別物理制御チャネル、E-DCH Dedicated Physical Control Channel）、及びＥ−ＤＰＤＣＨ（Ｅ−ＤＣＨ個別物理データチャネル、E-DCH Dedicated Physical Data Channel）を導入している。Ｅ−ＤＰＤＣＨは、Ｅ−ＤＣＨトランスポートチャネルを伝送するために使用され、Ｅ−ＤＰＣＣＨは、Ｅ−ＤＣＨと関連付けられた制御情報を伝送するために使用される。
【００１１】
マルチキャリア高速下りリンクパケットアクセス（ＭＣ−ＨＳＤＰＡ）が、３ＧＰＰリリース８において導入されている。次のステップとして、マルチキャリア高速上りリンクパケットアクセス（ＭＣ−ＨＳＵＰＡ）が、３ＧＰＰリリース９に含まれるように提案されている。マルチキャリア高速パケットアクセス（ＭＣ−ＨＳＰＡ）は、例えば、本明細書においてその全体を援用する非特許文献１に記載されている。マルチキャリア送信は、システムの「スペクトル効率」（達成可能な最大スループット［bps/cell/Hz］）を増大させることはない一方で、特に、低くかつ適度な負荷の、バースト状のパケットデータ・トラヒックについて、経験されるユーザデータレートを著しく増大させる可能性がある。さらに、コネクションごとにより広い帯域幅を利用することによって、電力効率の良くない高次の変調方式を回避できるとともに、システムの、理論上のピークデータレートだけでなく、実際のピークデータレートが増大する。
【先行技術文献】
【非特許文献】
【００１２】
【非特許文献１】Johansson, Klas, et al.,“Multi-Carrier HSPA Evolution（マルチキャリアＨＳＰＡエヴォリューション）”, http://www.ericsson.com/technology/research_papers/atsp/doc/multi-carrier_hspa_evolution.pdf, 2009.
【発明の概要】
【００１３】
本明細書に開示の技術は、例えば、マルチキャリアＨＳＵＰＡシステムにおける１個以上の非サービング基地局（即ち、非サービング・ノードＢ）に、何れの上りリンクキャリアが無線端末に対して、現在、アクティブ化されているかを示す情報を提供することに貢献する。
【００１４】
本発明の一態様において、本明細書に開示の技術は、非サービング基地局との信号のやりとりのための、サービング基地局における方法に関するものである。サービング基地局は、無線端末のアクティブセット内のサービングセルを制御する。非サービング基地局は、無線端末のアクティブセット内の１個以上の非サービングセルを制御する。無線端末は、少なくとも２個のキャリアのセットでのマルチキャリア上りリンク送信用に設定されている。本方法は、サービング基地局が、少なくとも２個のキャリアのセットに含まれるアクティブ・キャリアのサブセットを示す情報を含む信号を、非サービング基地局に送信するステップを含む。
【００１５】
実施形態及びモードの一例において、サービング基地局における方法は、サービング基地局と非サービング基地局との間のインタフェース上で、非サービング基地局に対して信号を直接送信するステップをさらに含む。実施形態及びモードの別の例において、サービング基地局における方法は、サービング基地局と、非サービング基地局に対して情報を転送する無線ネットワーク制御装置ノードとの間のインタフェース上で、信号を送信するステップをさらに含む。
【００１６】
本発明の別の態様において、本明細書に開示の技術は、無線端末のアクティブセット内の１個以上の非サービングセルを制御する非サービング基地局における方法に関するものである。無線端末は、少なくとも２個のキャリアのセットでのマルチキャリア上りリンク送信用に設定されている。本方法は、非サービング基地局が、少なくとも２個のキャリアのセットに含まれるアクティブ・キャリアのサブセットを示す情報を含む信号を受信するステップを含む。
【００１７】
非サービング基地局における方法の実施形態及びモードの一例において、信号は、非サービング基地局と、無線端末のアクティブセット内のサービングセルを制御するサービング基地局との間のインタフェース上で受信される。非サービング基地局における方法の実施形態及びモードの別の例において、非サービング基地局と無線ネットワーク制御装置ノードとの間のインタフェース上で受信される。
【００１８】
非サービング基地局にける方法の実施形態及びモードの一例において、本方法は、受信された情報に従って、無線端末からの上りリンク送信のモニタリングを適応させるステップをさらに含む。
【００１９】
本発明の別の態様において、本明細書に開示の技術は、非サービング基地局との信号のやりとりのための、無線端末における方法に関するものである。非サービング基地局は、無線端末のアクティブセット内の１個以上の非サービングセルを制御する。無線端末は、少なくとも２個のキャリアのセットでのマルチキャリア上りリンク送信用に設定されている。本方法は、無線端末が、少なくとも２個のキャリアのセットに含まれるアクティブ・キャリアのサブセットを示す情報を含む信号を、非サービング基地局に送信するステップを含む。
【００２０】
本明細書に記載の方法のいくつかの実装例において、当該情報は、少なくとも２個のキャリアのセットに含まれる、アクティブ化されている全てのキャリアについてのリストを含む。本明細書に記載の方法の他の実装例において、当該情報は、少なくとも２個のキャリアのセットに含まれる、非アクティブ化されている全てのキャリアについてのリストを含む。
【００２１】
本明細書に記載の方法のいくつかの実装例において、当該情報は、それ以前の状況と比較した、キャリアのアクティブ化レベルの変化を示す。
【００２２】
本発明の別の態様において、本明細書に開示の技術は、無線端末のアクティブセット内のサービングセルを制御する、無線アクセスネットワーク（２０）の基地局に関するものである。無線端末は、少なくとも２個のキャリアのセットでのマルチキャリア上りリンク送信用に設定されている。基地局は、少なくとも２個のキャリアのセットに含まれるアクティブ・キャリアのサブセットを示す情報を含む信号を、非サービング基地局（28N）に対して送信する信号送信手段を備える。非サービング基地局は、無線端末のアクティブセット内の１個以上の非サービングセルを制御する。
【００２３】
実施形態の一例において、当該信号は、サービング基地局と非サービング基地局との間のインタフェース上で、非サービング基地局に対して直接送信される。実施形態の別の例において、当該信号は、サービング基地局と、非サービング基地局に情報を転送する無線ネットワーク制御装置ノードとの間のインタフェース上で送信される。
【００２４】
実施形態の一例において、当該信号は、少なくとも２個のキャリアのセットに含まれる少なくとも１つのキャリアをアクティブ化又は非アクティブ化することをサービング基地局が決定した後に、送信される。
【００２５】
本発明の別の態様において、本明細書に開示の技術は、無線端末のアクティブセット内の１個以上の非サービングセルを制御する、無線アクセスネットワークの基地局に関するものである。無線端末は、少なくとも２個のキャリアのセットでのマルチキャリア上りリンク送信用に設定されている。基地局は、信号操作手段及びキャリアモニタリング手段を備える。信号操作手段は、少なくとも２個のキャリアのセットに含まれるアクティブ・キャリアのサブセットを示す情報を含む信号を受信する。キャリアモニタリング手段は、当該情報に従って、無線端末からの上りリンク送信のモニタリングを適応させる。
【００２６】
実施形態の一例において、当該信号は、非サービング基地局と、無線端末のアクティブセット内のサービングセルを制御するサービング基地局との間のインタフェース上で受信される。実施形態の別の例において、基地局と無線ネットワーク制御装置ノードとの間のインタフェース上で受信される。
【００２７】
基地局の実施形態のいくつかの例において、当該情報は、少なくとも２個のキャリアのセットに含まれる、アクティブ化されている全てのキャリアについてのリストを含む。あるいは、基地局の実施形態の他の例において、当該情報は、少なくとも２個のキャリアのセットに含まれる、非アクティブ化されている全てのキャリアについてのリストを含む。
【００２８】
基地局の実施形態のいくつかの例において、当該情報は、それ以前の状況と比較した、キャリアのアクティブ化レベルの変化を示す。
【００２９】
本発明の別の態様において、本明細書に開示の技術は、少なくとも２個のキャリアのセットでのマルチキャリア上りリンク送信用に設定され、１個以上の非サービング基地局によって制御される１個以上の非サービングセルを含むアクティブセットを有する無線端末に関するものである。無線端末は、信号を非サービング基地局に送信する信号送信手段を備える。当該信号は、少なくとも２個のキャリアのセットに含まれるアクティブ・キャリアのサブセットを示す情報を含む。
【００３０】
本発明の一態様において、本明細書に開示の技術は、無線アクセスネットワークを動作させる方法に関するものである。無線アクセスネットワーク（ＲＡＮ）は、無線端末のアクティブセット内のサービングセルを制御するサービング基地局と、無線端末のアクティブセット内の非サービングセルを制御する非サービング基地局とを備える。サービング基地局及び無線端末は、Ｉｕｂインタフェース（即ち、無線ネットワーク制御装置ノードと、当該無線ネットワーク制御装置ノードによって制御される（１個以上の）基地局との間のインタフェース）よりも階層的に下位に位置付けられているため、サブＩｕｂエンティティとも称される。本方法は、（１）無線端末からのマルチキャリア上りリンク送信用の少なくとも２個の（非）アクティブ化されたキャリアのセットのうちの少なくとも１個の上りリンクキャリアを、（非）アクティブ化することを選択するステップと、（２）少なくとも２個のキャリアの当該セットに含まれるアクティブ・キャリアのサブセットを示す情報の、非サービング基地局へのシグナリングを少なくとも開始するステップと、１個以上のサブＩｕｂエンティティにおいて、キャリア選択動作（１）及びアクティブ化状態シグナリング動作（２）を実行するステップとを含む。本明細書で使用しているように、「アクティブ化状態」は、上りリンクキャリアがアクティブ化されているか非アクティブ化されているかの指標を含みうる。
【００３１】
種々の実施形態及びモードにおいて、キャリア選択動作及びアクティブ化状態シグナリング動作は、（１個以上の）サブＩｕｂエンティティのうちの１個又はその組み合わせによって実行される。例えば、実施形態及びモードの一例において、キャリア選択動作及びアクティブ化状態シグナリング動作は、サービング基地局において実行される。実施形態及びモードの別の例において、キャリア選択動作及びアクティブ化状態シグナリング動作は、無線端末において実行される。実施形態及びモードのさらに別の例において、キャリア選択動作はサービング基地局において実行され、アクティブ化状態シグナリング動作は無線端末において実行される。実施形態及びモードのさらに別の例において、キャリア選択動作は無線端末において実行され、アクティブ化状態シグナリング動作はサービング基地局において実行される。
【００３２】
サブＩｕｂエンティティによって実行されるシグナリングは、非サービング基地局に、少なくとも２個のキャリアのセットに含まれるアクティブ・キャリアのサブセットを示す情報を伝えるためのものである。実施形態及びモードのいくつかの例において、アクティブ化状態は、当該サブセットに含まれる上りリンクキャリアのアクティブ化利用レベルの指標を含む。一実装例において、当該利用レベルは、当該サブセットに含まれる上りリンクキャリアについてアクティブ化されたチャネルのタイプを示す。別の実装例において、当該利用レベルは、サブセットに含まれる上りリンクキャリアについての時間的な程度を示す。別の実装例において、アクティブ化状態は、少なくとも２個の上りリンクキャリアのセットに含まれる、上りリンクキャリアの少なくともサブセットのキャリア識別情報を含む。
【図面の簡単な説明】
【００３３】
本発明に関する上述の及び他の目的、特徴及び効果は、参照符号が種々の図面にわたって同一の部分を参照する添付の図面において図示されている、好適な実施形態に関する以下のより詳細な説明から明らかになる。当該図面は、必ずしもスケーリングされることはなく、その代わりに本発明の原理を図示することに重点が置かれている。
【００３４】
【図１】高速パケットアクセス（ＨＳＰＡ）を提供する無線アクセスネットワークの一部についてのアーキテクチャ例の概略図である。
【図２Ａ】サブＩｕｂによって生成されたＨＳＵＰＡキャリア・アクティブ化通知を非サービング基地局に提供するために、サービング基地局又は無線端末によって実行されうる代表的な動作又はステップを大まかに示すフローチャートである。
【図２Ｂ】サブＩｕｂによって生成されたＨＳＵＰＡキャリア・アクティブ化通知を非サービング基地局に提供する、無線アクセスネットワーク（ＲＡＮ）のような無線アクセスネットワークを動作させる大まかな方法に含まれる代表的な動作又はステップを大まかに示すフローチャートである。
【図３Ａ】、
【図３Ｂ】、
【図３Ｃ】、
【図３Ｄ】、
【図３Ｅ】、
【図３Ｆ】キャリア選択動作とアクティブ化状態シグナリング動作と、サブＩｕｂエンティティのうちの１個又はその組み合わせによって実行される、種々の実施形態及びモードを図示する概略図である。
【図４】ＨＳＵＰＡキャリア・アクティブ化通知を非サービング基地局に送信する、実施形態の一例に係るサービング基地局の概略図である。
【図５】図４の実施形態の例に係るサービング基地局の具体的な実装の概略図である。
【図６Ａ】、
【図６Ｂ】サービング基地局から非サービング基地局への通知信号のルーティングについての異なる方法の概略図である。
【図７】マルチキャリア上りリンク送信用に設定され、かつ、ＨＳＵＰＡキャリア・アクティブ化通知を非サービング基地局に送信する無線端末の実施形態の一例の概略図である。
【図８】図７の実施形態の例に係る無線端末の具体的な実装の概略図である。
【図９】ＨＳＵＰＡキャリア・アクティブ化通知を受信する、実施形態の一例に係る非サービング基地局の概略図である。
【図１０】図９の実施形態の例に係る非サービング基地局の具体的な実装の一部についての概略図である。
【図１１】上りリンクキャリアの非アクティブ化能力を有する非サービング基地局の一実装の一部についての概略図である。
【図１２Ａ】、
【図１２Ｂ】、
【図１２Ｃ】非サービング無線基地局が非アクティブ化要求信号を送信する異なる方法を示すダイアグラム図である。
【図１３】サブＩｕｂによって生成されたＨＳＵＰＡキャリア・アクティブ化通知を受信する非サービング基地局を動作させる大まかな方法に含まれる代表的な動作又はステップを大まかに示すフローチャートである。
【図１４】上りリンクキャリアの利用／アクティブ化が、キャリア利用のチャネルタイプ／チャネル範囲に従って表現されうる／割り当てられうることを図示するダイアグラム図である。
【図１５】サブＩｕｂによって生成されたＨＳＵＰＡキャリア・アクティブ化通知信号のフォーマットの一例を示すダイアグラム図である。
【図１６】サブＩｕｂによって生成されたＨＳＵＰＡキャリア・アクティブ化通知信号のフォーマットの一例を示し、さらに、アクティブ化されたＨＳＵＰＡキャリア・フィールドのビットマップ表現の形式の第１の例を示すダイアグラム図である。
【図１７】サブＩｕｂによって生成されたＨＳＵＰＡキャリア・アクティブ化通知信号のフォーマットの一例を示し、さらに、アクティブ化されたＨＳＵＰＡキャリア・フィールドのビットマップ表現の形式の第２の例を示すダイアグラム図である。
【発明を実施するための形態】
【００３５】
以下の説明では、限定ではなく説明を目的として、本発明の完全な理解を提供するための具体的なアーキテクチャ、インタフェース、技術等の具体的な詳細を記述する。しかし、本発明がこれらの具体的な詳細から逸脱した他の実施形態においても実施されうることは、当業者には明らかとなろう。即ち、当業者は、本明細書において明示的に説明されてないか、又は示されてなくとも、本発明の原理を具体化し、かつ、本発明の精神及び範囲内に含まれる、種々の装置を考え出すことができよう。いくつかの例では、不必要な、詳細な記述によって本発明の説明を分かりにくくしないように、周知の装置、回路及び方法に関する詳細な説明を省略している。本発明の原理、態様及び実施形態を記載する、本明細書におけるあらゆる記述は、それらの具体例と同様、本発明の構造的な均等物と機能的な均等物との両方を包含することを意図されている。加えて、そのような均等物は、現時点で既知の均等物だけでなく、将来において開発される均等物（即ち、同一の機能を実行する、開発されたあらゆる要素）も構造にかかわりなく含むことを意図されている。
【００３６】
従って、例えば、本明細書におけるブロック図は、当該技術の原理を具体化する例示的な回路構成の概念的な図を示すことが、当業者によって理解されよう。同様に、何れのフローチャート、状態遷移図、疑似コード等も、コンピュータ又はプロセッサが明示的に示されているか否かにかかわらず、コンピュータで読取可能な媒体において実質的に示されうる種々のプロセスであって、そのようなコンピュータ又はプロセッサによって実行されうる種々のプロセスを示すことが理解されよう。
【００３７】
「コンピュータ」、「プロセッサ」又は「コントローラ」とラベルが付された、又は説明された機能ブロックを含む種々の要素の機能は、専用のハードウェアと、コンピュータで読取可能な媒体に格納された、コード化された命令の形式のソフトウェアを実行可能なハードウェアと、の使用を通じて提供されうる。コンピュータは、１個以上のプロセッサを含むように広く理解され、コンピュータ及びプロセッサという用語は、本明細書において相互に置き換え可能に用いられうる。コンピュータ又はプロセッサによって提供される場合、単一の専用コンピュータ若しくはプロセッサによって、単一の共用コンピュータ若しくはプロセッサによって、又は、いくつかが共有若しくは分散されうる複数の個別のコンピュータ若しくはプロセッサによって、上記機能が提供されうる。このような機能は、コンピュータで実行され、ひいては機械で実行されるものと理解されよう。さらに、「プロセッサ」又は「コントローラ」という用語の使用は、このような機能の実行、及びソフトウェアの実行の少なくとも何れかが可能なその他のハードウェアを指すとも解釈されるとともに、ディジタル信号プロセッサ（ＤＳＰ）ハードウェア、縮小命令セットプロセッサ、ハードウェア（例えば、ディジタル又はアナログ）回路構成、及び、（適切な場合には）このような機能を実行可能なステート・マシンを、限定することなく含みうる。
【００３８】
ＭＣ−ＨＳＵＰＡ能力（capabilities）を有する所与の無線端末（ＵＥ）（例えば「ＭＣ−ＨＳＵＰＡ ＵＥ」）において、２個以上の上りリンクキャリアでの同時送信は、対象の複数のキャリア（ＭＣ−ＨＳＵＰＡ用に使用される複数の上りリンクキャリア）における、他の無線端末（ＵＥ）の現在の負荷（チャネル利用）が十分に低い場合に、主として有用となる。その他の点では、（異なるキャリアで送信する異なる無線端末（ＵＥ）が可能な限り存在することによって）直交した上りリンク送信を実現するために、また、オーバヘッド及びバッテリ消費を最小化するためには、シングルキャリア送信がより望ましいであろう。特に、同一のサービング・ノードＢ及び同一のセクタ（即ち、同様のカバレッジエリアを有する複数のセルのセット）に接続された複数のＭＣ−ＨＳＵＰＡ ＵＥ用のキャリアの選択を制御することが、有益であろう。通常はセル内干渉が上りリンクのセル負荷を支配するため、キャリア選択制御は望ましい。
【００３９】
無線ネットワーク制御装置（ＲＮＣ）は、移動性とシステム全体の負荷とに関してＭＣ−ＨＳＵＰＡに適した複数の上りリンクキャリアのセットを選択可能であり、それ故に、所与の無線端末（ＵＥ）に対して１個以上のキャリアで無線リンクを設定可能である。しかし、無線端末（ＵＥ）による上りリンク送信用のキャリア選択の速度の観点では、上りリンクキャリアの実際の選択が、サービング・ノードＢ及び無線端末（ＵＥ）内の少なくとも何れかにおいて実行されることが好ましい。即ち、好ましくは、サービング・ノードＢ及び無線端末（ＵＥ）の少なくとも何れかが、ＲＮＣによって決定された複数のキャリアのセットの中からの選択することによって、上りリンクキャリアの選択を実行する。この優先性は、無線端末（ＵＥ）が送信電力の利用可能性と瞬時のバッファ負荷とを知っていることを理由として生じ、サービング・ノードＢは、トラフィック負荷、干渉、サービス品質（ＱｏＳ）要求条件、及び、他の無線端末（ＵＥ）に関係する他の側面に、キャリア設定を適応させることができる。
【００４０】
本明細書に開示の技術の発明者は、サービング・ノードＢ及び無線端末（ＵＥ）の少なくとも何れかが、上りリンクキャリアのアクティベーション（アクティブ化）を制御（即ち、上りリンクキャリアのアクティブ化及び非アクティブ化の少なくとも何れかを開始）した場合、当該無線端末（ＵＥ）のアクティブセット内の非サービングセルを制御する非サービング・ノードＢが、当該無線端末（ＵＥ）についての所与の上りリンクキャリアがアクティブ化されたか否かを知ることはない、ということを認識した。従って、このような場合、（非サービングセルを制御する）このようなノードＢは、設定された上りリンクキャリアの何れがＭＣ−ＨＳＵＰＡに対して実際にアクティブ化されているのかを知ることなく、ＲＮＣによって無線リンクが設定されている各上りリンクキャリア上で、データを連続的に検出する。各キャリア上のアクティビティ（activity）に関するこのようなブラインド検出は、特に非サービング・ノードＢにおけるハードウェア消費の観点で、余計なオーバヘッドを生じさせる。さらに、新たな状況が検出されるまでの間、非サービングセルが、送信電力制御コマンドと、その他の誤りのある制御シグナリングとを送信するおそれがある。
【００４１】
このため、上述したように、特定の無線端末（ＵＥ）についての、ＭＣ−ＨＳＵＰＡ用の上りリンクキャリアのアクティベーション（アクティブ化）を動的に制御できることが有益となりうる。上りリンクキャリアは、ＲＮＣによって設定された複数の上りリンクキャリア（候補）のセットから選択されるべきである。当該選択は、サービング・ノードＢ及び無線端末（ＵＥ）の少なくとも何れかによって行われうる。
【００４２】
図１は、無線ネットワーク制御装置（ＲＮＣ）ノード２６と、複数の無線基地局２８S及び２８Nと、無線端末３０とを含む無線アクセスネットワーク（ＲＡＮ）２０を、代表的な形式で図示している。無線端末３０は、無線インタフェース又はエアインタフェースを介して、１個以上の無線基地局と通信する。便宜上、図１は、各基地局が１個のセルのみをサービングするものとして示しているが、各基地局２８は、１個以上のセルをサービングできる。無線端末３０と当該無線端末によって利用される上りリンクキャリアとの少なくとも何れかは、「アクティブセット」（例えば、無線端末３０がその時点で無線アクセスネットワーク２０に接続される際に介する複数のセルのコレクション）を有するといわれる。図１に示す特定の状況において、無線基地局２８Sは、サービング基地局であり、このため無線端末３０のアクティブセットに含まれるサービングセル３４Sを制御し、無線基地局２８Nは、非サービングセルであり、このため無線端末３０のアクティブセットに含まれる非サービングセル３４Nを制御する。
【００４３】
無線端末３０は、マルチキャリア上りリンク送信用（例えば、少なくとも第１のＨＳＵＰＡキャリア３６1及び第２のＨＳＵＰＡキャリア３６2を介した、サービング基地局２８Sに対する送信用）に設定されている。
【００４４】
上記で説明したように、利用可能な又は候補の上りリンクキャリアのうち、無線端末３０が第１のＨＳＵＰＡキャリア３６1及び第２のＨＳＵＰＡキャリア３６2として使用するために実際にアクティブ化されている特定のキャリアの識別子を、非サービング基地局２８Nに通知することが有益である。これは、このような通知によって、非サービング基地局２８Nにおいて動作が簡略化されるとともにオーバヘッドが低減されるためである。
【００４５】
サービング基地局２８S及び無線端末３０は、本明細書において（図１において）「サブＩｕｂエンティティ」と称される（図示される）。これは、それらが、Ｉｕｂインタフェース（即ち、無線ネットワーク制御装置（ＲＮＣ）ノード２６と無線ネットワーク制御装置（ＲＮＣ）ノード２６によって制御される（１以上の）基地局との間のＩｕｂインタフェース）よりも階層的に下位に位置付けられているためである。本明細書に開示の技術によれば、また、図１においてブラケット４０によって示されているように、複数の候補キャリアのセットに含まれる少なくとも２個のキャリアのセットにおけるアクティブ・キャリアのサブセットを示す情報の、非サービング基地局２８Nへのシグナリングは、サブＩｕｂエンティティによって、即ち、サービング基地局２８S及び無線端末３０の少なくとも何れかによって開始される。本明細書で使用するように、「アクティブ化状態（activation status）」は、上りリンクキャリアがアクティブ化されているか非アクティブ化されているかの指標を含みうる。このため、図１は、非サービング基地局２８Nに対する、サブＩｕｂによって生成されたＨＳＵＰＡキャリア・アクティブ化通知４２を示している。
【００４６】
図２Ａは、サブＩｕｂエンティティによって（即ち、サービング基地局２８Sによって、又は無線端末３０によって）実行されうる動作２−０を含む、実施形態及びモードの例を表している。動作２−０は、少なくとも２個のキャリアのセットに含まれるアクティブ・キャリアのサブセットを示す情報を含む信号を、非サービング基地局へ送信することを含む。動作２−０の信号は、本明細書ではアクティブ化状態信号又はアクティブ化状態シグナリングとも称される。当該信号が（サービング基地局２８Sによって、あるいは無線端末３０によって）送信されうる、非限定的な方法の例は、例えば、図２Ｂ、図３Ａ〜図３Ｆ、図６Ａ及び図６Ｂの実施形態及びモードのような、本明細書で説明している他の図示された実施形態及びモードと併せて理解されよう。
【００４７】
図２Ｂは、サブＩｕｂによって生成されたＨＳＵＰＡキャリア・アクティブ化通知を非サービング基地局へ提供する無線アクセスネットワーク（ＲＡＮ）２０等の、無線アクセスネットワークを動作させる全体的な方法に含まれる、全体的かつ代表的な動作又はステップを示している。本方法の動作２−１は、キャリア選択動作であり、無線端末からのマルチキャリア上りリンク送信用の少なくとも２個のアクティブ化された上りリンクキャリアのセットのうち、少なくとも１個の上りリンクキャリアを、アクティブ化又は非アクティブ化のために選択することを含む。動作２−２（図２Ａの動作２−０に相当）は、アクティブ化状態シグナリング動作であり、少なくとも２個のキャリアのセットに含まれるアクティブ・キャリアのサブセットを示す情報の、非サービング基地局へのシグナリングを開始すること、を少なくとも含む。さらに、図２Ｂに示すように、キャリア選択動作２−１及びアクティブ化状態シグナリング動作２−２は、１個以上のサブＩｕｂエンティティにおいて（例えば、サービング基地局２８S及び無線端末３０のうちの１つ又は両方において）実行される。
【００４８】
様々な実施形態及びモードにおいて、キャリア選択動作２−１及びアクティブ化状態シグナリング動作２−２は、複数のサブＩｕｂエンティティのうちの１個又はその組み合わせによって実行される。例えば、図３Ａに図示する実施形態及びモードの一例においては、キャリア選択動作２−１及びアクティブ化状態シグナリング動作２−２が、サービング基地局２８Sにおいて実行される。図３Ｂに図示する実施形態及びモードの別の例においては、キャリア選択動作２−１及びアクティブ化状態シグナリング動作２−２が、無線端末３０において実行される。図３Ｃに図示する実施形態及びモードのさらに別の例においては、キャリア選択動作２−１がサービング基地局２８Sにおいて実行され、アクティブ化状態シグナリング動作２−２が無線端末３０において実行される。図３Ｄに図示する実施形態及びモードのさらにまた別の例においては、キャリア選択動作２−１が無線端末３０において実行され、アクティブ化状態シグナリング動作２−２がサービング基地局２８Sにおいて実行される。
【００４９】
このように、図３Ａ及び図３Ｃによって示されるようにいくつかの実施形態の例では、ＭＣ−ＨＳＵＰＡのための（１以上の）上りリンクキャリアの選択は、サービング・ノードＢによって（例えばサービング基地局２８Sによって）行われる。３ＧＰＰリリース６、７及び８に準拠して、サービング・ノードＢは、ＨＳＵＰＡ／ＥＵＬのデータレート・グラントを、無線端末（ＵＥ）に対してすぐに送信する。従って、本明細書に開示の技術の実装例では、サービング・ノードＢは、さらに、サービングされるＭＣ−ＨＳＵＰＡ無線端末に対する上りリンクキャリア（例えば、ＨＳＵＰＡキャリア３６）のアクティブ化及び非アクティブ化を制御する。
【００５０】
図３Ａ〜図３Ｅは、（動作２−１のような）キャリア選択動作と（動作２−２のような）アクティブ化状態シグナリング動作とが、サブＩｕｂエンティティのうちの１個又はその組み合わせによって実行される、種々の実施形態及びモードを示している。即ち、図３Ａ〜図３Ｅは、（動作２−１のような）キャリア選択動作と（動作２−２のような）アクティブ化状態シグナリング動作との責任が、委譲又は分散されうる。特に、図３Ａは、キャリア選択動作２−１及びアクティブ化状態シグナリング動作２−２が、サービング無線基地局２８Sによって実行されることを示している。図３Ｂは、キャリア選択動作２−１及びアクティブ化状態シグナリング動作２−２が、無線端末３０によって実行されることを示している。図３Ｃは、キャリア選択動作２−１がサービング無線基地局２８Sによって実行され、アクティブ化状態シグナリング動作２−２が無線端末３０によって実行されることを示している。図３Ｄは、キャリア選択動作２−１が無線端末３０によって実行され、アクティブ化状態シグナリング動作２−２がサービング無線基地局２８Sによって実行されることを示している。図３Ａ〜図３Ｄのそれぞれにおいて、ＨＳＵＰＡキャリア・アクティブ化通知４２が、サービング無線基地局２８S又は無線端末３０から非サービング無線基地局２８Nに対して送信されることを、大まかに示している。図３Ｅ及び図３Ｆは、図３Ａ及び図３Ｄのそれぞれのシナリオについての特別な場合を示しており、図３Ａ及び図３Ｄのシナリオが、無線ネットワーク制御装置（ＲＮＣ）ノード２６を介したキャリア・アクティブ化通知４２の送信をさらに包含することを示すためのものである。
【００５１】
図４は、サービング基地局２８S、例えば、無線端末３０のアクティブセットに含まれるサービングセル３４Sを制御し、かつ、サブＩｕｂによって生成されたＨＳＵＰＡキャリア・アクティブ化通知を非サービング基地局２８Nに対して送信する無線基地局の実施形態の一例を示している。サービング基地局２８Sは、（図４の送受信部に含まれている）受信機４８と、ＨＳＵＰＡキャリア・アクティブ化通知生成部（例えば、信号生成部５０）とを備える。信号生成部５０は、信号送信手段としても記載される。本明細書に記載のエンティティにおいて、送受信部の説明又は図示は、特定のエンティティが、送信機能力及び受信機能力の両方を同一のユニット又は装置の一部分に有していることを必要とすることなく、代わりに、送信機能及び受信機能がどのように位置付けられ、又は分配されうるのかに関わりなく、当該エンティティ自体が送信機能力及び受信機能力を有することを単に示している。受信機４８は、少なくとも２個の上りリンクキャリアのセット（例えば、ＨＳＵＰＡキャリア３６1及び３６2）を、無線端末３０からエアインタフェースを介して受信する。いくつかの実装においては、当該セットには、２個を上回る数の上りリンクキャリアが含まれうる。信号生成部５０は、アクティブ上りリンクキャリア通知部として機能し、非サービング基地局（例えば、非サービング基地局２８N）に、少なくとも２個のキャリアのセットに含まれるアクティブ・キャリアのサブセットを示す情報をシグナリングする。
【００５２】
図５は、サービング基地局２８Sについてのより詳細な実装を示している。図５のサービング基地局２８Sにおいて、（例えば、ＨＳＵＰＡキャリア・アクティブ化通知生成部として機能する）信号生成部５０は、ＨＳＰＡ制御部５２のような、コンピュータで実施される制御部に備えられうるか、あるいは当該制御部によって実現されうる。ＨＳＰＡ制御部５２は、信号生成部５０に加えて、ＨＳＰＡリソース管理部５４と、信号操作部５６と、上りリンク信号処理部５８とを備えうる。サービング基地局２８Sは、さらに、無線ネットワーク制御装置（ＲＮＣ）ノード２６に対する（Ｉｕｂインタフェースを介した）接続のためのＩｕｂインタフェース／ポート６６と、非サービング基地局２８Nに対する（基地局間の通信のための）接続のための、任意のＢＳインタフェース／ポート６８とを備えている。信号操作部５６は、Ｉｕｂインタフェース／ポート６６から、任意のＢＳインタフェース／ポート６８から、又は受信機を介して無線端末から受信された、ＨＳＰＡに関連する信号を操作する。とりわけ、信号操作部５６は、無線端末３０から受信されたＨＳＵＰＡキャリア３６を、上りリンク信号処理部５８に委ねる。
【００５３】
一実装例において、ＨＳＰＡリソース管理部５４は、さらに、ＨＳＵＰＡキャリア・アクティブ化部６０と、上りリンクキャリア候補のリスト６２と、アクティブ化された上りリンクキャリアのリスト６４とを備える。上りリンクキャリア候補のリスト６２の内容は、無線ネットワーク制御装置（ＲＮＣ）ノード２６から受信される。これは、無線ネットワーク制御装置（ＲＮＣ）ノード２６が、高速上りリンクパケットアクセス（ＨＳＵＰＡ）キャリアとして使用される上りリンクキャリアの候補のプール（pool）を構成するためである。しかし、図５の実施形態の例では、ＨＳＵＰＡキャリア・アクティブ化部６０は、上りリンクキャリア候補のリスト６２において、利用可能な上りリンクキャリアの候補が何れが、特定の無線端末（例えば、無線端末３０）による使用のために実際にアクティブ化されるのか、を決定する。アクティブ化のために選択されるそれらの上りリンクキャリアは、アクティブ化された上りリンクキャリアのリスト６４に登録される。
【００５４】
ＨＳＰＡ制御部５２が、下りリンクキャリア（ＨＳＤＰＡ）動作と、ＨＳＵＰＡの他の態様とを含む、サービング基地局２８SのＨＳＰＡ動作の他の種々の態様を制御しうることが理解されよう。本明細書では、大まかには本明細書に開示の技術に密接な関係がある、ＨＳＰＡ制御部５２のそれらの態様及び機能のみを詳細に説明している。
【００５５】
図５のサービング基地局２８Sの構成は、図３Ａに図示されているシナリオのようなシナリオに特に適しているものの、同一又は同等の構成によって図３Ｄのシナリオが実施されうることが理解されよう。しかし、図３Ｄのシナリオについて、サービング基地局２８Sは、ＨＳＵＰＡキャリア・アクティブ化部６０を、備えている必要はなく、又は利用する必要はない。これは、図３Ｄのシナリオにおいては、ＨＳＵＰＡキャリアのアクティブ化又は非アクティブ化（動作２−１）が、無線端末３０によって達成又は実行されるためである。
【００５６】
このように、本明細書に開示の一部の実施形態の例は、サブＩｕｂによって生成されるＨＳＵＰＡキャリア・アクティブ化通知を生成する、サービング基地局に関するものである。それに対応して、本明細書に開示の技術の態様のうちの１つは、（非サービング基地局２８Nのような）非サービング基地局との信号のやりとりのための、（サービング基地局２８Sのような）サービング基地局における方法に関するものである。本方法は、サービング基地局が、無線端末による上りリンク送信用に実現可能として定義された、少なくとも２個のキャリアのセットに含まれるアクティブ・キャリアのサブセットを示す情報を含む信号を（非サービング基地局に）送信するステップを含む。当該少なくとも２個のキャリアのセットは、無線ネットワーク制御装置（ＲＮＣ）ノード２６によって提供される候補キャリアであってもよいし、上りリンクキャリア候補のリスト６２において管理されてもよい。当該セットに含まれる上りリンクキャリアのサブセットは、サブＩｕｂエンティティ（例えば、サービング基地局２８SのＨＳＵＰＡキャリア・アクティブ化部６０）によってアクティブ化される上りリンクキャリアのうちの少なくとも１個である。上りリンクキャリアの当該サブセットは、例えば、特定の無線端末用のＨＳＵＰＡ用途にアクティブ化される２個の上りリンクキャリアであってもよい。そのような信号の一例は、サブＩｕｂによって生成されるＨＳＵＰＡキャリア・アクティブ化通知４２である。
【００５７】
サービング基地局２８Sが、通知信号４２の通知部である場合には、サブＩｕｂによって生成されたＨＳＵＰＡキャリア・アクティブ化通知のルーティングは、いくつかの方法で生じうる。図６Ａに図示する実施形態及びモードの一例において、サービング基地局における本方法は、さらに、サービング基地局２８Sと非サービング基地局２８Nとの間のインタフェース（例えば、ＢＳインタフェース）上で、非サービング基地局２８Nに対して信号４２−６Ａを直接送信するステップを含む。図６Ｂに図示する実施形態及びモードの別の例において、サービング基地局における本方法は、さらに、２段階で通知信号を送信するステップを含み、当該２段階とは、第１の段階、即ち、サービング基地局２８Sと無線ネットワーク制御装置（ＲＮＣ）ノード２６との間のインタフェース（例えば、Ｉｕｂインタフェース）における第１の通知信号４２−６Ｂ−１と、第２の段階、即ち、無線ネットワーク制御装置（ＲＮＣ）ノード２６から非サービング基地局２８Nへ情報を転送するための第２の通知信号４２−６Ｂ−２と、である。
【００５８】
また、サービング基地局２８Sによる通知信号４２の生成タイミングは、異なる実施形態及びモード間で相違する。例えば、実施形態及びモードの一例では、サービング基地局における本方法は、少なくとも２個のキャリアのセットに含まれる少なくとも１個のキャリアをアクティブ化又は非アクティブ化することをサービング基地局が決定した後に、通知信号４２を送信するステップをさらに含む。この実施形態及びモードの具体例は、図３Ａに示されており、図５の構成に関して理解される。当該構成において、サービング基地局２８SはＨＳＵＰＡキャリア・アクティブ化部６０を備え、それにより、サービング基地局２８Sそれ自体が、ＨＳＵＰＡ用途にアクティブ化するために上りリンクキャリアを選択する。実施形態及びモードの別の例では、サービング基地局における本方法は、少なくとも２個のキャリアのセットに含まれる少なくとも１個の上りリンクキャリアをアクティブ化又は非アクティブ化することを示す、無線端末３０からの信号を、サービング基地局が受信した後に、通知信号４２を送信するステップをさらに含む。この実施形態及びモードの具体例は、図３Ｄに示されている。同図では、少なくとも２個のキャリアのセットに含まれる少なくとも１個の上りリンクキャリアをアクティブ化又は非アクティブ化することを示す信号として、無線端末３０からの信号７０の受信を図示している。
【００５９】
実施形態の別の例では、ＭＣ−ＨＳＵＰＡ用の上りリンクキャリアの選択は、無線端末（ＵＥ）によって行われる。無線端末（ＵＥ）内の状況、又は無線端末（ＵＥ）の位置における状況が考慮されるべきである場合にキャリアをアクティブ化及び非アクティブ化するために、無線端末（ＵＥ）はノードＢ（例えば、サービング基地局２８S）よりも良い位置に存在する可能性がある。このような状況には、例えば、無線端末（ＵＥ）内の送信電力の制限、又は無線端末（ＵＥ）の周辺のセル間干渉状況が含まれうる。
【００６０】
図７は、マルチキャリア上りリンク送信用に設定され、かつ、サブＩｕｂによって生成されたＨＳＵＰＡキャリア・アクティブ化通知を非サービング基地局２８Nに送信する無線端末３０の実施形態の一例を示している。無線端末３０は、（図７の送受信部に含まれる）送信機７８と、信号生成部８０とを備える。送信機７８は、少なくとも２個のキャリアのセット（例えば、ＨＳＵＰＡキャリア３６1及び３６2）を、エアインタフェースを介して、無線端末３０から非サービング基地局２８Nに対して送信する。（アクティブ上りリンクキャリア通知部及び信号送信手段の少なくとも何れかとしても知られる）信号生成部８０は、非サービング基地局２８Nに対して、少なくとも２個のキャリアのセットに含まれるアクティブ・キャリアのサブセットを示す情報をシグナリングする。
【００６１】
図８は、無線端末３０についてのより詳細な実装を示している。図８の無線端末３０において、（例えば、ＨＳＵＰＡキャリア・アクティブ化通知生成部として機能する）信号生成部８０は、ＨＳＰＡ制御部８２のような、コンピュータで実施される制御部に備えられうるか、あるいは当該制御部によって実現されうる。ＨＳＰＡ制御部８２は、信号生成部８０に加えて、ＨＳＰＡリソース管理部８４と、信号操作部８６と、上りリンク信号処理部８８とを備えうる。信号操作部８６は、サービング基地局２８Sから受信された、ＨＳＰＡに関連する信号を操作する。上りリンク信号処理部８８は、信号操作部８６への転送のために、ＨＳＵＰＡキャリア３６を準備する。
【００６２】
一実装例において、ＨＳＰＡリソース管理部８４は、さらに、ＨＳＵＰＡキャリア・アクティブ化部９０と、上りリンクキャリア候補のリスト９２と、アクティブ化された上りリンクキャリアのリスト９４とを備える。上りリンクキャリア候補のリスト９２の内容は、無線ネットワーク制御装置（ＲＮＣ）ノード２６から受信される。これは、無線ネットワーク制御装置（ＲＮＣ）ノード２６が、高速上りリンクパケットアクセス（ＨＳＵＰＡ）キャリアとして使用される上りリンクキャリアの候補のプールを構成するためである。しかし、図８の実施形態の例では、ＨＳＵＰＡキャリア・アクティブ化部９０は、上りリンクキャリア候補のリスト９２において、利用可能な上りリンクキャリアの候補の何れが、無線端末３０による使用のために実際にアクティブ化されるのか、を決定する。アクティブ化のために選択されるそれらの上りリンクキャリアは、アクティブ化された上りリンクキャリアのリスト９４に登録される。
【００６３】
サービング基地局２８SのＨＳＰＡ制御部５２と同様、ＨＳＰＡ制御部９２は、下りリンクキャリア（ＨＳＤＰＡ）動作と、ＨＳＵＰＡの他の態様とを含む、無線端末３０のＨＳＰＡ動作の他の種々の態様を制御しうる。本明細書では、大まかには本明細書に開示の技術に密接な関係がある、ＨＳＰＡ制御部９２のそれらの態様及び機能のみを詳細に説明している。
【００６４】
無線端末３０は、コンピュータ又はプロセッサによって実行されうる１個以上のアプリケーション９６をさらに含む。これらの１個以上のアプリケーション９６は、ＨＳＵＰＡに関連するサービスを起動してもよいし、当該サービスに関与してもよい。
【００６５】
図８の無線端末の構成は、図３Ｂに図示されているシナリオのようなシナリオに特に適しているものの、同一又は同等の構成によって図３Ｃのシナリオが実施されうることが理解されよう。しかし、図３Ｃのシナリオについて、無線端末３０は、ＨＳＵＰＡキャリア・アクティブ化部９０を、備えている必要はなく、又は利用する必要はない。これは、図３Ｃのシナリオにおいては、ＨＳＵＰＡキャリアのアクティブ化又は非アクティブ化（動作２−１）が、サービング基地局２８Sによって達成又は実行されるためである。
【００６６】
このように、本明細書に開示の一部の実施形態の例は、サブＩｕｂによって生成されるＨＳＵＰＡキャリア・アクティブ化通知を生成する、無線端末３０に関するものである。それに対応して、本明細書に開示の技術の態様のうちの１つは、（非サービング基地局２８Nのような）非サービング基地局との信号のやりとりのための、（無線端末３０のような）無線端末における方法に関するものである。本方法は、無線端末が、無線端末による上りリンク送信用に実現可能として定義された、少なくとも２個のキャリアのセットに含まれるアクティブ・キャリアのサブセットを示す情報を含む通知信号４２を、非サービング基地局に送信するステップを含む。
【００６７】
また、無線端末３０による通知信号４２の生成タイミングは、異なる実施形態及びモード間で相違する。例えば、実施形態及びモードの一例では、無線端末における本方法は、少なくとも２個のキャリアのセットに含まれる少なくとも１個のキャリアをアクティブ化又は非アクティブ化することを当該無線端末が決定した後に、通知信号４２を送信するステップをさらに含む。この実施形態及びモードの具体例は、図３Ｂに示されており、図８の構成に関して理解される。当該構成において、無線端末３０はＨＳＵＰＡキャリア・アクティブ化部９０を備え、それにより、無線端末３０それ自体が、ＨＳＵＰＡ用途にアクティブ化するために上りリンクキャリアを選択する。実施形態及びモードの別の例では、無線端末における本方法は、少なくとも２個のキャリアのセットに含まれる少なくとも１個の上りリンクキャリアをアクティブ化又は非アクティブ化することを示す、サービング基地局２８Sからの信号を、無線端末３０が受信した後に、通知信号４２を送信するステップをさらに含む。この実施形態及びモードの具体例は、図３Ｃに示されている。同図では、少なくとも２個のキャリアのセットに含まれる少なくとも１個の上りリンクキャリアをアクティブ化又は非アクティブ化することを示す信号として、サービング基地局２８Sからの信号１００の受信を図示している。
【００６８】
図９は、無線端末のアクティブセットに含まれる１個以上の非サービングセルを制御する、無線アクセスネットワークの基地局（例えば、非サービング基地局２８N）の実施形態の一例を示している。当該非サービング基地局は、信号操作部１０６と、（図９においては送受信部に含まれるように示している）受信機１０８と、キャリア受信部１１０とを備えている。キャリア受信部１１０は、キャリアモニタリング手段としても知られている。信号操作部１０６は、（本明細書で記載され、その結果包含される、通知信号４２の複数のバージョンのうちの何れかのような）通知信号を処理する。このような通知信号には、少なくとも２個の上りリンクキャリアのセットでのマルチキャリア上りリンク送信用に設定された無線端末によって送信される、少なくとも２個のキャリアのセットに含まれるアクティブ・キャリアのサブセットを示す情報が含まれる。キャリア受信部１１０は、当該情報に従って、無線端末３０からの上りリンク送信のモニタリングを適応させる。
【００６９】
図１０は、非サービング基地局２８Nについてのより詳細な実装を示している。図１０の非サービング基地局２８Nにおいて、サブＩｕｂによって生成されたＨＳＵＰＡキャリア・アクティブ化通知４２を受信し、また、キャリア受信部１１０は、ＨＳＰＡ制御部１１２のような、コンピュータで実施される制御部に備えられうるか、あるいは当該制御部によって実現されうる。ＨＳＰＡ制御部１１２は、さらに、ＨＳＰＡリソース管理部１１４と、上りリンク信号処理部１１８とを備えうる。非サービング基地局２８Nは、さらに、無線ネットワーク制御装置（ＲＮＣ）ノード２６に対する（Ｉｕｂインタフェースを介した）接続のためのＩｕｂインタフェース／ポート１２６と、サービング基地局２８Sに対する（基地局間の任意のインタフェースを介した）接続のための、任意のＢＳインタフェース／ポート１２８とを備えている。信号操作部１０６は、Ｉｕｂインタフェース／ポート１２６から、任意のＢＳインタフェース／ポート１２８から、又は受信機１０８を介して無線端末から受信された、ＨＳＰＡに関連する信号を操作する。とりわけ、信号操作部１０６は、無線端末３０から受信されたＨＳＵＰＡキャリア３６を、上りリンク信号処理部１１８に委ねる。
【００７０】
一実装例において、ＨＳＰＡリソース管理部１１４は、さらに、上りリンクキャリア候補のリスト１３２と、アクティブ化された上りリンクキャリアのリスト１３４とを備える。上りリンクキャリア候補のリスト１３２の内容は、無線ネットワーク制御装置（ＲＮＣ）ノード２６から受信される。これは、無線ネットワーク制御装置（ＲＮＣ）ノード２６が、高速上りリンクパケットアクセス（ＨＳＵＰＡ）キャリアとして使用される上りリンクキャリアの候補のプールを構成するためである。しかし、非サービング基地局２８Nが受信したアクティブ化の通知に関連する上りリンクキャリアのみが、アクティブ化された上りリンクキャリアのリスト１３４に含まれる。
【００７１】
ＨＳＰＡ制御部１１２が、非サービング基地局２８Nによってサービングされる非サービングセル３４Nについての、下りリンクキャリア（ＨＳＤＰＡ）動作と上りリンクキャリア（ＨＳＵＰＡ）動作との両方を含む、非サービング基地局２８NのＨＳＰＡ動作の他の種々の態様を制御しうることが理解されよう。そのために、ＨＳＰＡ制御部１１２が、サービング基地局２８SのＨＳＰＡ制御部５２のような、他のユニット及び機能を含みうることが理解されよう。
【００７２】
このように、本明細書に開示の一部の実施形態の例は、サブＩｕｂによって生成されるＨＳＵＰＡキャリア・アクティブ化通知を受信する、非サービング基地局に関するものである。それに対応して、本明細書に開示の技術の態様のうちの１つは、（非サービング基地局２８Nのような）非サービング基地局における方法に関するものである。非サービング基地局における本方法は、非サービング基地局が、少なくとも２個のキャリアのセットに含まれるアクティブ・キャリアのサブセットを示す情報を含む信号を受信するステップを含む。
【００７３】
サブＩｕｂによって生成されたＨＳＵＰＡキャリア・アクティブ化通知の、非サービング基地局２８Nへのルーティングは、いくつかの方法で生じうる。図３Ｂ及び図３Ｃのシナリオによって図示する実施形態及びモードの一部の例において、通知信号４２は、無線端末３０から直接受信される上りリンク信号である。図６Ａに図示する実施形態及びモードの別の例において、通知信号４２−６Ａは、非サービング基地局２８Nとサービング基地局２８S（例えば、無線端末のアクティブセットに含まれるサービングセルを制御するサービング基地局）との間のインタフェース上で、非サービング基地局２８Nによって、サービング基地局２８Sから受信される。図６Ｂに図示する実施形態及びモードのさらに別の例において、通知信号４２−６Ｂ−１及び４２−６Ｂ−２は、非サービング基地局２８Nと無線ネットワーク制御装置（ＲＮＣ）ノード２６との間のインタフェース（例えば、Ｉｕｂインタフェース）上で受信される。
【００７４】
実施形態及びモードの一例において、非サービング基地局における本方法は、図１３に示すそれぞれの動作をさらに含む。動作１３−１は、サブＩｕｂによって生成されたＨＳＵＰＡキャリア・アクティブ化通知信号を受信する、これまでに説明した動作を含む。
動作１３−２は、受信された情報に基づいて、無線端末からの上りリンク送信のモニタリングを適応させる動作を含む。即ち、非サービング基地局２８Nは、ＨＳＵＰＡ上りリンクキャリア用として無線ネットワーク制御装置（ＲＮＣ）ノード２６が設定した全ての上りリンクキャリアについてモニタリング又は検出を行う必要がなく、非サービング基地局２８Nによって管理されている、アクティブ化された上りリンクキャリアのリスト１３４に含まれる上りリンクキャリアについてのみ、モニタリング又は検出を行う必要がある。従って、非サービング基地局２８Nは、可能性のある各上りリンクキャリアのアクティビティを、ブラインドで、かつ画一的な検出を行う必要がなく、それ故に、オーバヘッドを浪費する必要がなく、又は、追加のリソース割り当てを要求することがない。
【００７５】
加えて、いくつかの実施形態では、非サービング・ノードＢは、３ＧＰＰリリース６／７／８の非サービング・ノードＢがＥ−ＲＧＣＨチャネルを使用して過負荷を示す可能性を有しているのと同様に、キャリアの非アクティブ化に関与しうることで、１個以上のサービングされていないＵＥに対するグラントを低減させる。即ち、非サービング無線基地局２８Nは、干渉し過ぎていると非サービング無線基地局２８Nが感知した無線端末に対して、上りリンクキャリアの非アクティブ化を要求しうる。この点について、図１１は、図１０の非サービング無線基地局の変形、即ち、干渉モニタ１３８とＵＬキャリア・非アクティブ化要求部１４０とをさらに備える非サービング無線基地局２８Nを示している。無線端末が干渉し過ぎていることを干渉モニタ１３８が感知した場合、干渉モニタ１３８は、それに応じて、（ＨＳＰＡ制御部１１２に備えられた）ＵＬキャリア・非アクティブ化要求部１４０に通知することで、ＵＬキャリア・非アクティブ化要求部１４０に、非アクティブ化要求信号１４２を無線端末に送信するように指示する。非アクティブ化要求信号１４２は、図１２Ａにおいて非アクティブ化要求信号１４２Ａによって示しているように、非サービング無線基地局２８Nから無線端末３０に直接送信されてもよいし、図１２Ｂにおいて非アクティブ化要求信号１４２Ｂによって示しているように、サービング無線基地局２８Sを介して無線端末３０に送信されてもよいし、図１２Ｃにおいて非アクティブ化要求信号１４２Ｃによって示しているように、無線ネットワーク制御装置（ＲＮＣ）ノード２６を介して無線端末３０に送信されてもよい。
【００７６】
サブＩｕｂによって生成されたＨＳＵＰＡキャリア・アクティブ化通知４２は、少なくとも２個のキャリアのセットに含まれるアクティブ・キャリアのサブセットを示す情報を含む。本明細書で使用しているように、「アクティブ化状態」は、ＨＳＵＰＡ上りリンクキャリアがアクティブ化されているか、又は非アクティブ化されているかの指標を含みうる。本明細書に開示の技術の一態様として、上りリンクキャリアの利用／アクティブ化についていくつかのレベル又は度合い（degree）が存在しうる。例えば、いくつかの実施形態及びモードの例においては、アクティブ化状態は、ＨＳＵＰＡ上りリンクキャリアの（例えば、サブセットに含まれる上りリンクキャリアの）アクティブ化利用のレベルの指標を含む。一実装例においては、当該利用レベルは、サブセットに含まれる上りリンクキャリアについてアクティブ化されたチャネルのタイプを示す。別の実装例においては、当該利用レベルは、当該サブセットの時間的な程度（temporal dimension）、例えば、「一時的な非アクティブ化」及び「永続的な非アクティブ化」を示す。別の実装例において、アクティブ化状態は、少なくとも２個の上りリンクキャリアのセットに含まれる、上りリンクキャリアの少なくともサブセットのキャリア識別情報を含む。このように、上りリンクキャリアの利用／アクティブ化のレベルは、キャリア・タイプ／範囲（extent）、時間的な利用等の、いくつかの量又は測度の何れかについて表現されうる／割り当てられうる。
【００７７】
例えば、いくつかの実施形態の例において、上りリンクキャリアのレベル又は度合いは、キャリア利用のチャネルタイプ／チャネル範囲に従って表現されうる／割り当てられうる。図１４に図示されているように、第１のレベル（レベル１）の例は、完全な非アクティブ化であり、即ち、全キャリアで送信しない。第２のレベル（レベル２）の例は、選択された上りリンクキャリアの物理制御チャネル（ＤＰＣＣＨ等）のみの送信を含む。第３のレベル（レベル３）の例は、選択された上りリンクキャリアの物理データチャネル（Ｅ−ＤＰＤＣＨ等）と物理制御チャネル（ＤＰＣＣＨ等）の送信を含む。
【００７８】
このように、サブＩｕｂによって生成されたＨＳＵＰＡキャリア・アクティブ化通知４２を介して、非サービング・ノードＢ（例えば、非サービング基地局２８N）は、これらの種々のアクティブ化レベルの完全な情報を、又は部分的な情報のみを提供されうる。実施形態の一例において、完全な情報の提供には、上記でリストアップした、図１４に示すレベル１〜３のうちの１つのような、レベル指標の（例えば、通知信号４２に含ませた）提供が含まれる。従って、レベル１については、実施形態の一例において、部分的な情報の提供には、アクティブ化状態又は非アクティブ化状態の提供が含まれる。例えば、一実装例において、アクティブ化状態がレベル２又は３に対応するのに対して、非アクティブ化状態はレベル１に対応する。あるいは、別の実装例において、アクティブ化状態がレベル３に対応するのに対して、非アクティブ化状態はレベル１又は２に対応する。
【００７９】
実施形態の他の例において、上りリンクキャリアの利用／アクティブ化のレベル又は度合いは、時間的な程度で表現されうる／割り当てられうる。時間的なアクティブ化の１個のレベル又はクラスは、一時的なアクティブ化又は一時的な非アクティブ化でありうる。一時的な（非）アクティブ化において、無線端末（ＵＥ）は、（例えば、カバレッジを理由に）制限された送信電力となりうる。時間的なアクティブ化の別のレベル又はクラスは、（例えば、ノードＢのリソース不足に起因して）永続的な（非）アクティブ化でありうる。
【００８０】
これらの異なる複数のレベルは、許容可能な遅延、関連するシグナリングからの許容可能なオーバヘッド等に対する異なる要求条件を有しうる。
【００８１】
いくつかの実施形態について、アクティブ化又は非アクティブ化を実行するサブＩｕｂエンティティのＨＳＵＰＡキャリア・アクティブ化部は、レベル選択を実行し、かつ、レベル選択情報を通知信号４２に含ませることを指示する、アクティブ化レベル選択部を備えうる。このため、図５は、任意のアクティブ化レベル選択部１３０をサービング基地局２８S内に（破線で）示しており、図８は、任意のアクティブ化レベル選択部１３２を無線端末３０内に（破線で）示している。
【００８２】
図１５は、本明細書に記載の、サブＩｕｂによって生成されるＨＳＵＰＡキャリア・アクティブ化通知４２のような通知信号に関する、代表的かつ非限定的な、大まかなフォーマットを示している。当該通知信号は、信号タイプ・フィールド、送信先フィールド、送信元識別子フィールド、アクティブ化された（１以上の）ＨＳＵＰＡキャリアを識別するためのフィールド、任意のレベル値フィールド等の、種々のフィールド又は情報要素を含む。（任意の）信号タイプ・フィールドは、当該信号が、サブＩｕｂによって生成されたＨＳＵＰＡキャリア・アクティブ化通知４２であることを識別する。レベル値フィールドは、レベルの区別又はレベルの選択を含む実施形態におけるレベル値を特定する（図１３を参照）。いくつかの実施形態及びモードにおいては、送信元フィールド及び送信先識別子フィールドの少なくとも何れかも任意的である。
【００８３】
本発明の態様の１つにおいて、本明細書に開示の技術は、非サービング・ノードＢ（非サービング基地局２８N等）に、無線端末（ＵＥ）に対してアクティブ化されている上りリンクキャリアを知らせるためのシグナリング技術に関するものである。以下では、シグナリング及び信号ルーティングの代替的な実施形態及びモードの基本的なタイプについて、シグナリングの説明を続ける。
【００８４】
第１のタイプのシグナリング例の実施形態及びモードでは、通知シグナリング（例えば、通知信号４２）は、無線端末３０から生じる。このような実施形態及びモードの例は、例えば図３及び図３Ｃによって表されている。本明細書で実際に記載のように、無線端末３０は、キャリアがアクティブされる場合、又は非アクティブ化される場合に、アクティブ・キャリアについて報告する。実施形態のいくつかの例において、これは、上りリンク（ＵＬ）における特定のレイヤ１（Ｌ１）制御シグナリング又はレイヤ２（Ｌ２）制御シグナリング（例えば、既存の物理制御チャネルＤＰＣＣＨ、Ｅ−ＤＰＣＣＨ若しくはＨＳ−ＤＰＣＣＨにおける特別な指標若しくは符号語、又は、Ｅ−ＤＣＨ用のＭＡＣプロトコルにおける特別なフィールド値）によって生じる。
【００８５】
キャリアのアクティブ化／非アクティブ化の決定が、図３Ｃに示すシナリオのように、ノードＢにおいて行われる場合、ＨＳＵＰＡキャリア・アクティブ化部６０によって選択されたＨＳＵＰＡ上りリンクを反映したキャリア・アクティブ化通知４２を、無線端末３０が送信するため、この選択肢は、無線端末３０を介したシグナリングとしても特徴付けられうる。
【００８６】
キャリアのアクティブ化／非アクティブ化の決定が、（図３Ｂに示す状況におけるように）ＵＥにおいて行われる場合、無線端末は、キャリアをアクティブ化又は非アクティブ化することを自発的に決定する（これはカバレッジを理由に有用でありうる）。その結果、（上りリンクキャリアをアクティブ化するか非アクティブ化するかの）この決定は、非サービング・ノードＢ（例えば、非サービング基地局２８N）だけでなく、サービング・ノードＢ（例えば、サービング基地局２８S）に対しても、シグナリングされうる。
【００８７】
第２のタイプのシグナリング例の実施形態及びモードでは、通知シグナリング（例えば、通知信号４２）は、ＲＮＣを介して（例えば、無線ネットワーク制御装置（ＲＮＣ）ノード２６及びＩｕｂ／Ｉｕｒインタフェースの少なくとも何れかを介して）生じる。この第２のタイプのシグナリングは、図６Ｂによって示されている。サービング・ノードＢ２８Sは、ＲＮＣ２６に通知（例えば、ＲＮＣ２６に通知信号４２を送信）でき、その時点のアクティブ化されている（又は非アクティブ化されている）キャリアのサブセットを、非サービング基地局２８Nのような非サービング・ノードＢに伝える。
【００８８】
第３のタイプのシグナリング例の実施形態及びモードでは、通知シグナリング（例えば、通知信号４２）は、ノードＢ間で直接生じる。ＢＳインタフェース６８のようなインタフェースがノードＢ間で利用可能である場合、当該インタフェースは、その時点のアクティブ化されている（又は非アクティブ化されている）キャリアのサブセットを、サービング・ノードＢから非サービング・ノードＢに対して直接伝えるために使用されうる。
【００８９】
キャリアのアクティブ化／非アクティブ化の決定が、図３Ａ又は図３Ｃに示されるような方法で無線端末において行われる場合、上述の第２及び第３のシグナリングの代替手段は、キャリアの存在を検出しようとすることが必要になった場合にそれらが相互に支援し合うように、ノードＢにおける方法として利用されうる（これは、ノードＢの全てよりも、関連するノードＢのうちの少なくとも１つにおいてＵＥメッセージが適切に受信された可能性が高いためである。）。
【００９０】
アクティブ化／非アクティブ化されたキャリアを示すために、種々の信号フォーマットが種々の実施形態において使用されうる。例えば、図１５のフォーマット例を参照すると、アクティブ化された（１以上の）ＨＳＵＰＡキャリア・フィールドは、図１６に図示するようなビットマップの形式を取りうる。当該ビットマップは、それぞれがＮ個のアップリンク・キャリアのうちの何れがアクティブ化及び非アクティブ化されているかを（例えば、ビット値「０」を非アクティブ化されたキャリアに、ビット値「１」をアクティブ化されたキャリアに用いて）示す、Ｎ個のビットを含む。２レベルを上回るアクティブ化（上記の考察を参照）を示す別の実施形態においては、ビットマップ１３４（１７）は、図１７に示す形式を取りうるとともに、それに応じて（例えば、各キャリアのアクティブ化のレベルを表すために２ビットを使用して）拡張されうる。アクティブ化された全キャリアのみ（あるいは、非アクティブ化された全キャリアのみ）がリストアップされたフォーマットを用いることも可能である。さらに別の代替手段は、これまでの状況と比較すると、アクティブ化レベルの変化のみを示すことであろう。
【００９１】
このように、本発明の一態様において、本明細書に開示の技術は、無線アクセスネットワークを動作させる方法に関するものであり、本方法は、（１）無線端末３０からのマルチキャリア上りリンク送信用の少なくとも２個のアクティブ化されたキャリアのセットのうちの少なくとも１個の上りリンクキャリアを、アクティブ化又は非アクティブ化することを選択するステップ、を含む。本方法は、さらに、（２）少なくとも２個のキャリアの当該セットに含まれるアクティブ・キャリアのサブセットを示す情報の、非サービング基地局へのシグナリングを少なくとも開始するステップと、１個以上のサブＩｕｂエンティティにおいて動作（１）及び動作（２）を実行するステップと、を含み、サービング基地局は、無線端末のアクティブセットに含まれるサービングセルを制御し、非サービング基地局は、当該無線端末のアクティブセットに含まれる非サービングセルを制御する。
【００９２】
動作（１）及び（２）は、様々な方法及び組み合わせで、無線端末とサービング無線基地局２８Sとの間で分散されうる。実施形態及びモードの一例において、本方法はさらに、サービング基地局において動作（１）及び（２）を実行するステップを含む。実施形態及びモードの別の例において、本方法はさらに、動作（１）及び（２）を無線端末において実行するステップを含みうる。実施形態及びモードの別の例において、本方法はさらに、動作（１）をサービング基地局において実行するステップと、動作（２）を無線端末において実行するステップとを含みうる。実施形態及びモードの別の例において、本方法はさらに、動作（１）を無線端末において実行するステップと、動作（２）をサービング基地局において実行するステップとを含みうる。
【００９３】
実施形態及びモードの一例において、アクティブ化状態は、上記のサブセットに含まれる上りリンクキャリアのアクティブ化利用レベルの指標を含む。
【００９４】
実施形態及びモードの一例において、当該利用レベルは、上記のサブセットに含まれる上りリンクキャリアについてアクティブ化されたチャネルのタイプを示す。
【００９５】
実施形態及びモードの一例において、当該利用レベルは、上記のサブセットに含まれる上りリンクキャリアについての時間的な程度を示す。
【００９６】
サービング・ノードＢ又は無線端末に、リアルタイムに（１以上の）上りリンクキャリアを選択させることによって、リソース利用が最大化されうる。即ち、制御シグナリング・のオーバヘッドが最小化され、干渉が低減され、全キャリアの容量が十分に利用されうる。
【００９７】
サービング・ノードＢ又は無線端末が（１以上の）上りリンクキャリアを選択する場合、無線端末が、その時点のアクティブ・キャリアのセットを、ソフトハンドオーバにおいて非サービングセルに対して伝えることが有益である。さもなければ、非サービングセルを扱っているノードＢが、存在することがない信号をモニタリングしようとして、その結果、少ないハードウェアリソースを浪費し、誤りのあるフィードバック情報（送信電力制御コマンド等）を送信するおそれがある。
【００９８】
さらに、非サービング・ノードＢが、本明細書に開示の技術に従って、キャリアのアクティブ化に関する情報を得る場合、当該非サービング・ノードＢは、データの受信開始前の信頼性のある検出及び決定を最初に実行する以前に、当該キャリア上のデータの受信を開始できる。従って、本明細書に開示の技術は、改善された上りリンクデータ受信特性をもたらす。
【００９９】
上記の説明は多くの特異性を含むものの、それらは、本発明の範囲を限定するものと解釈されるべきではなく、本発明についての現時点で好ましい実施形態の一部の例示を単に提供するものと解釈されるべきである。従って、当業者にとって自明となりうる他の実施形態を、本発明の範囲が十分に含むこと、及び本発明の範囲がそれに応じて不当に限定されうることがないことが理解されよう。単数形の要素への言及は、特に明示的な記述がない限り「１個及び１個のみ」を意味することを意図されているのではなく、「１個以上」を意味することを意図されている。上述の好ましい実施形態に含まれる要素に対する、当業者に知られている構造的な、化学的な、及び機能的な均等物は、本明細書において明確に援用され、本明細書において網羅されることが、意図されている。さらに、装置又は方法が、本発明によって解決されるべきそれぞれの及び全ての課題を解決する必要はなく、本明細書に包含される。
【図１】
0005416784.tif 000002
【図２Ａ】
0005416784.tif 000003
【図２Ｂ】
0005416784.tif 000004
【図３Ａ】
0005416784.tif 000005
【図３Ｂ】
0005416784.tif 000006
【図３Ｃ】
0005416784.tif 000007
【図３Ｄ】
0005416784.tif 000008
【図３Ｅ】
0005416784.tif 000009
【図３Ｆ】
0005416784.tif 000010
【図４】
0005416784.tif 000011
【図５】
0005416784.tif 000012
【図６Ａ】
0005416784.tif 000013
【図６Ｂ】
0005416784.tif 000014
【図７】
0005416784.tif 000015
【図８】
0005416784.tif 000016
【図９】
0005416784.tif 000017
【図１０】
0005416784.tif 000018
【図１１】
0005416784.tif 000019
【図１２Ａ】
0005416784.tif 000020
【図１２Ｂ】
0005416784.tif 000021
【図１２Ｃ】
0005416784.tif 000022
【図１３】
0005416784.tif 000023
【図１４】
0005416784.tif 000024
【図１５】
0005416784.tif 000025
【図１６】
0005416784.tif 000026
【図１７】
0005416784.tif 000027